【手続補正書】
【提出日】平成28年3月7日(2016.3.7)
【手続補正１】
【補正対象書類名】特許請求の範囲
【補正対象項目名】全文
【補正方法】変更
【補正の内容】
【特許請求の範囲】
【請求項１】
第１の電圧により通信を行う第１のレンズユニットと、前記第１の電圧とは異なる第２の電圧により通信を行う第２のレンズユニットとを含む複数の種類のレンズユニットが選択的に装着される撮像装置であって、
前記第１および第２の電圧のうち少なくとも一方と異なる第３の電圧を用いて動作し、前記第１および第２のレンズユニットと通信する制御手段と、
該撮像装置に装着されたレンズユニットの種類を判定する判定手段と、
前記レンズユニットの装着を検出する検出手段と、
前記レンズユニットに機械的に結合するとともに該撮像装置を前記レンズユニットに電気的に接続するためのマウントであって、前記判定手段により前記レンズユニットの種類を判定するための第１の端子と、前記検出手段により前記レンズユニットの装着を検出するための第２の端子を備えたマウント、とを有し、
前記判定手段は、前記第１の端子を介して検知される電圧の値に応じて装着されたレンズユニットの種類を判定し、
該撮像装置に前記レンズユニットを装着する際、前記第１の端子と対応する前記レンズユニット側の端子とが接触するタイミングは、前記第２の端子と対応する前記レンズユニット側の端子とが接触するタイミングよりも早いか同時であって、
前記制御手段は、前記通信用の信号の電圧として、前記第３の電圧から、前記第１および第２の電圧のうち前記判定手段による判定結果に応じた電圧を生成することを特徴とする撮像装置。
【請求項２】
前記検出手段は、前記第２の端子を介して検知される電圧の値に応じて装着されたレンズユニットの装着を判定することを特徴とする請求項１に記載の撮像装置。
【請求項３】
前記第１の端子に入力される電圧の検知は、前記第２の端子に入力される電圧の検知の後または同時に行われることを特徴とする請求項２に記載の撮像装置。
【請求項４】
前記第１の端子は、前記第３の電圧にプルアップする第１の抵抗に接続されることを特徴とする請求項１から３のいずれか一項に記載の撮像装置。
【請求項５】
前記マウントは、該撮像装置との通信を制御するレンズ制御手段用の電源を供給するための第３の端子を有することを特徴とする請求項１から４のいずれか一項に記載の撮像装置。
【請求項６】
前記制御手段は、前記第１および第２の電圧のうち少なくとも一方と異なる第４の電圧を前記第３の端子を介して前記レンズユニットに供給することを特徴とする請求項５に記載の撮像装置。
【請求項７】
前記マウントは、前記第３の端子と対応してグランドに接続するための第４の端子を有することを特徴とする請求項５または６に記載の撮像装置。
【請求項８】
前記マウントは、前記レンズユニット内のアクチュエータの駆動に用いる第５の電圧を前記レンズユニットに供給するための第５の端子を有することを特徴とする請求項１から７のいずれか一項に記載の撮像装置。
【請求項９】
前記マウントは、前記第５の端子と対応してグランドに接続するための第６の端子を有することを特徴とする請求項８に記載の撮像装置。
【請求項１０】
前記マウントは、前記制御手段が前記レンズユニットとデータを通信するための第７の端子を有することを特徴とする請求項１から９のいずれか一項に記載の撮像装置。
【請求項１１】
複数の種類のレンズユニットのうち選択的に装着されたレンズユニットの種類を判定するとともに該レンズユニットの種類に応じて通信用の信号の電圧を異なる電圧に設定する撮像装置に対して装着されるレンズユニットであって、
撮像装置と機械的に結合するとともに該レンズユニットを前記撮像装置に電気的に接続するためのマウントであって、前記撮像装置に電気的に接続された状態において、該レンズユニットの種類に対応した所定の抵抗値を有する第２の抵抗に接続された構成により該レンズユニットの種類を示すことが可能な第１のレンズ端子と、グランドに接続された構成により該レンズユニットの装着状態を示すことが可能な第２のレンズ端子を備えたマウントと、
前記撮像装置との通信を行うレンズ制御手段と、を有し、
該レンズユニットを前記撮像装置に装着する際、前記第１のレンズ端子と対応する前記撮像装置側の端子とが接触するタイミングは、前記第２のレンズ端子と対応する前記撮像装置側の端子とが接触するタイミングよりも早いか同時であって、
前記レンズ制御手段は、前記撮像装置から第４の電圧で前記レンズ制御手段用の電源の供給を受け、前記撮像装置に出力する通信用の信号の電圧として、前記第４の電圧から前記第４の電圧とは異なる第６の電圧を生成し、
前記第１のレンズ端子を介して該レンズユニットの種類を示すことにより、前記撮像装置から出力する前記通信用の信号の電圧として前記第６の電圧に対応する電圧を前記撮像装置が設定することを可能とすることを特徴とするレンズユニット。
【請求項１２】
前記第１のレンズ端子と対応する前記撮像装置側の端子に入力される電圧に応じて前記レンズユニットの種類が判定されることを特徴とする請求項１１に記載のレンズユニット。
【請求項１３】
前記第２のレンズ端子と対応する前記撮像装置側の端子に入力される電圧に応じて前記レンズユニットの装着が判定されることを特徴とする請求項１１または１２に記載のレンズユニット。
【請求項１４】
前記所定の抵抗値は、前記レンズユニットの種類に対応して割り当てられた値であることを特徴とする請求項１１から１３のいずれか一項に記載のレンズユニット。
【請求項１５】
前記マウントは、前記撮像装置から前記第４の電圧で電源の供給を受けるための第３のレンズ端子を有することを特徴とする請求項１１から１４のいずれか一項に記載のレンズユニット。 
【請求項１６】
前記マウントは、前記第３のレンズ端子と対応してグランドに接続するための第４のレンズ端子を有することを特徴とする請求項１５に記載のレンズユニット。
【請求項１７】
前記マウントは、前記撮像装置から前記レンズユニット内のアクチュエータの駆動に用いる第５の電圧の供給を受けるための第５のレンズ端子を有することを特徴とする請求項１１から１６のいずれか一項に記載のレンズユニット。
【請求項１８】
前記マウントは、前記第５のレンズ端子と対応してグランドに接続するための第６のレンズ端子を有することを特徴とする請求項１７に記載のレンズユニット。
【請求項１９】
前記マウントは、前記レンズ制御手段が前記撮像装置とデータを通信するための第７のレンズ端子を有することを特徴とする請求項１１から１９のいずれか一項に記載のレンズユニット。
【請求項２０】
複数の種類のレンズユニットのうち選択的に装着されたレンズユニットの種類を判定するとともに該レンズユニットの種類に応じて通信用の信号の電圧を異なる電圧に設定する撮像装置に対して装着されるレンズユニットであって、
撮像装置と機械的に結合するとともに該レンズユニットを前記撮像装置に電気的に接続するためのマウントであって、前記撮像装置に電気的に接続された状態において、該レンズユニットの種類に対応した所定の電圧を出力する構成により該レンズユニットの種類を示すことが可能な第１のレンズ端子と、グランドに接続された構成により該レンズユニットの装着状態を示すことが可能な第２のレンズ端子を備えたマウントと、
前記撮像装置との通信を行うレンズ制御手段と、を有し、
該レンズユニットを前記撮像装置に装着する際、前記第１のレンズ端子と対応する前記撮像装置側の端子とが接触するタイミングは、前記第２のレンズ端子と対応する前記撮像装置側の端子とが接触するタイミングよりも早いか同時であって、
前記レンズ制御手段は、前記撮像装置から第４の電圧で前記レンズ制御手段用の電源の供給を受け、前記撮像装置に出力する通信用の信号の電圧として、前記第４の電圧から前記第４の電圧とは異なる第６の電圧を生成し、
前記第１のレンズ端子を介して該レンズユニットの種類を示すことにより、前記撮像装置から出力する前記通信用の信号の電圧として前記第６の電圧に対応する電圧を前記撮像装置が設定することを可能とすることを特徴とするレンズユニット。
【請求項２１】
前記第１のレンズ端子と対応する前記撮像装置側の端子に入力される電圧に応じて前記レンズユニットの種類が判定されることを特徴とする請求項２０に記載のレンズユニット。
【請求項２２】
前記第２のレンズ端子と対応する前記撮像装置側の端子に入力される電圧に応じて前記レンズユニットの装着が判定されることを特徴とする請求項２０または２１に記載のレンズユニット。
【請求項２３】
前記第１のレンズ側端子は、前記レンズユニットの種類に対応して割り当てられた抵抗値を作る手段に接続されていることを特徴とする請求項２０から２２のいずれか一項に記載のレンズユニット。
【請求項２４】
前記マウントは、前記撮像装置から前記第４の電圧で電源の供給を受けるための第３のレンズ端子を有することを特徴とする請求項２０から２３のいずれか一項に記載のレンズユニット。
【請求項２５】
前記マウントは、前記第３のレンズ端子と対応してグランドに接続するための第４のレンズ端子を有することを特徴とする請求項２４に記載のレンズユニット。
【請求項２６】
前記マウントは、前記撮像装置から前記レンズユニット内のアクチュエータの駆動に用いる第５の電圧の供給を受けるための第５のレンズ端子を有することを特徴とする請求項２０から２５のいずれか一項に記載のレンズユニット。
【請求項２７】
前記マウントは、前記第５のレンズ端子と対応してグランドに接続するための第６のレンズ端子を有することを特徴とする請求項２６に記載のレンズユニット。
【請求項２８】
前記マウントは、前記レンズ制御手段が前記撮像装置とデータを通信するための第７のレンズ端子を有することを特徴とする請求項２０から２７のいずれか一項に記載のレンズユニット。
【手続補正２】
【補正対象書類名】明細書
【補正対象項目名】０００９
【補正方法】変更
【補正の内容】
【０００９】
本発明の一側面としての撮像装置は、第１の電圧により通信を行う第１のレンズユニットと、前記第１の電圧とは異なる第２の電圧により通信を行う第２のレンズユニットとを含む複数の種類のレンズユニットが選択的に装着される撮像装置であって、前記第１および第２の電圧のうち少なくとも一方と異なる第３の電圧を用いて動作し、前記第１および第２のレンズユニットと通信する制御手段と、該撮像装置に装着されたレンズユニットの種類を判定する判定手段と、前記レンズユニットの装着を検出する検出手段と、前記レンズユニットに機械的に結合するとともに該撮像装置を前記レンズユニットに電気的に接続するためのマウントであって、前記判定手段により前記レンズユニットの種類を判定するための第１の端子と、前記検出手段により前記レンズユニットの装着を検出するための第２の端子を備えたマウント、とを有し、前記判定手段は、前記第１の端子を介して検知される電圧の値に応じて装着されたレンズユニットの種類を判定し、該撮像装置に前記レンズユニットを装着する際、前記第１の端子と対応する前記レンズユニット側の端子とが接触するタイミングは、前記第２の端子と対応する前記レンズユニット側の端子とが接触するタイミングよりも早いか同時であって、前記制御手段は、前記通信用の信号の電圧として、前記第３の電圧から、前記第１および第２の電圧のうち前記判定手段による判定結果に応じた電圧を生成することを特徴とする。
【手続補正３】
【補正対象書類名】明細書
【補正対象項目名】００１０
【補正方法】変更
【補正の内容】
【００１０】
また、本発明の他の一側面としてのレンズユニットは、複数の種類のレンズユニットのうち選択的に装着されたレンズユニットの種類を判定するとともに該レンズユニットの種類に応じて通信用の信号の電圧を異なる電圧に設定する撮像装置に対して装着されるレンズユニットであって、撮像装置と機械的に結合するとともに該レンズユニットを前記撮像装置に電気的に接続するためのマウントであって、前記撮像装置に電気的に接続された状態において、該レンズユニットの種類に対応した所定の抵抗値を有する第２の抵抗に接続された構成により該レンズユニットの種類を示すことが可能な第１のレンズ端子と、グランドに接続された構成により該レンズユニットの装着状態を示すことが可能な第２のレンズ端子を備えたマウントと、前記撮像装置との通信を行うレンズ制御手段と、を有し、該レンズユニットを前記撮像装置に装着する際、前記第１のレンズ端子と対応する前記撮像装置側の端子とが接触するタイミングは、前記第２のレンズ端子と対応する前記撮像装置側の端子とが接触するタイミングよりも早いか同時であって、前記レンズ制御手段は、前記撮像装置から第４の電圧で前記レンズ制御手段用の電源の供給を受け、前記撮像装置に出力する通信用の信号の電圧として、前記第４の電圧から前記第４の電圧とは異なる第６の電圧を生成し、前記第１のレンズ端子を介して該レンズユニットの種類を示すことにより、前記撮像装置から出力する前記通信用の信号の電圧として前記第６の電圧に対応する電圧を前記撮像装置が設定することを可能とすることを特徴とする。
【手続補正４】
【補正対象書類名】明細書
【補正対象項目名】００１１
【補正方法】変更
【補正の内容】
【００１１】
さらに、本発明の他の一側面としてのレンズユニットは、複数の種類のレンズユニットのうち選択的に装着されたレンズユニットの種類を判定するとともに該レンズユニットの種類に応じて通信用の信号の電圧を異なる電圧に設定する撮像装置に対して装着されるレンズユニットであって、撮像装置と機械的に結合するとともに該レンズユニットを前記撮像装置に電気的に接続するためのマウントであって、前記撮像装置に電気的に接続された状態において、該レンズユニットの種類に対応した所定の電圧を出力する構成により該レンズユニットの種類を示すことが可能な第１のレンズ端子と、グランドに接続された構成により該レンズユニットの装着状態を示すことが可能な第２のレンズ端子を備えたマウントと、前記撮像装置との通信を行うレンズ制御手段と、を有し、該レンズユニットを前記撮像装置に装着する際、前記第１のレンズ端子と対応する前記撮像装置側の端子とが接触するタイミングは、前記第２のレンズ端子と対応する前記撮像装置側の端子とが接触するタイミングよりも早いか同時であって、前記レンズ制御手段は、前記撮像装置から第４の電圧で前記レンズ制御手段用の電源の供給を受け、前記撮像装置に出力する通信用の信号の電圧として、前記第４の電圧から前記第４の電圧とは異なる第６の電圧を生成し、前記第１のレンズ端子を介して該レンズユニットの種類を示すことにより、前記撮像装置から出力する前記通信用の信号の電圧として前記第６の電圧に対応する電圧を前記撮像装置が設定することを可能とすることを特徴とする。